(57)【要約】      （修正有）【課題】トイレ内の器物が破壊されたことを直ちに把握することができ、しかもその破壊者または破壊した可能性のある者を特定することができるトイレ管理装置を提供する。【解決手段】トイレ管理装置は、トイレ８０内の音を検出して信号を発信する音センサ１０と、音センサ１０の信号を受信する受信装置２０と、受信装置２０が信号を受信したことを人に通知する通知部と、被写体を撮影し、撮影時刻データを含む画像データを取得する撮影装置３０と、画像データの記憶と再生を行う記憶再生装置４０と、画像データを表示する表示装置５０と、を備えている。音センサ１０は、検出した音の大きさが閾値より大きい場合に信号を発信する。【選択図】図１
0003196257.tif 000002
【実用新案登録請求の範囲】
【請求項１】
トイレ内の音を検出して信号を発信する音センサと、
音センサの信号を受信する受信装置と、
受信装置が信号を受信したことを人に通知する通知部と、
被写体を撮影し、撮影時刻データを含む画像データを取得する撮影装置と、
画像データの記憶と再生を行う記憶再生装置と、
画像データを表示する表示装置と、を備え、
音センサは、検出した音の大きさが閾値より大きい場合に信号を発信することを特徴とするトイレ管理装置。
【請求項２】
トイレ内に、トイレ利用者に対する警告文を有する警告部を備えることを特徴とする請求項１記載のトイレ管理装置。
【考案の詳細な説明】
【技術分野】
【０００１】
本考案は、トイレ内の器物の破壊を把握し、その破壊者を特定するためのトイレ管理装置に関する。
【背景技術】
【０００２】
不特定の者が利用するトイレ、特に遊技場のトイレにおいては、利用者により、洋式の便器の蓋、便座その他のトイレ内の器物が頻繁に破壊される。
しかしながら、トイレ内の器物が破壊されても、直ちにその事実を把握することや、トイレ内の器物を破壊した者を特定することは困難であり、器物が破壊される度に、破壊された器物を修理するため、本来必要のない修繕費が発生するという問題があった。
【考案の概要】
【考案が解決しようとする課題】
【０００３】
そこで、本考案は、トイレ内の器物が破壊されたことを直ちに把握することができ、しかもその破壊者または破壊した可能性のある者を特定することができるトイレ管理装置を提供することを目的とする。
【課題を解決するための手段】
【０００４】
本考案のトイレ管理装置は、トイレ内の音を検出して信号を発信する音センサと、音センサの信号を受信する受信装置と、受信装置が信号を受信したことを人に通知する通知部と、被写体を撮影し、撮影時刻データを含む画像データを取得する撮影装置と、画像データの記憶と再生を行う記憶再生装置と、画像データを表示する表示装置と、を備えている。そして、音センサは、検出した音の大きさが閾値より大きい場合に信号を発信する。
【０００５】
本考案のトイレ管理装置は、トイレ内に、トイレ利用者に対する警告文を有する警告部を備えるものであってもよい。
【考案の効果】
【０００６】
本考案のトイレ管理装置によると、トイレ内の器物が破壊されたことを直ちに把握することができるとともに、その破壊者または破壊した可能性のある者を特定することができる。また、トイレ管理装置は、簡易かつ低コストで構築することができる。
【０００７】
本考案のトイレ管理装置は、トイレ内に警告部を備えることにより、トイレ内の器物の破壊が抑止され、トイレの補修費用を抑えることができる。
【図面の簡単な説明】
【０００８】
【図１】本考案の実施形態のトイレ管理装置を平面的に見た模式図である。
【図２】図１に示されるトイレ内のうち洋式の便器側を側方から見た模式図である。
【図３】図１に示されるトイレ内のうち小便用の便器側を側方から見た模式図である。
【図４】トイレ管理装置の構成を示すブロック図である。
【図５】警告部を示す正面図である。
【考案を実施するための形態】
【０００９】
以下、本考案の実施形態のトイレ管理装置について説明する。図１〜図４は、本考案の実施形態のトイレ管理装置を示す。
本考案の実施形態のトイレ管理装置が適用されるトイレ８０は、どのようなトイレであっても構わないが、ここでは、図１〜図３に示すような小便用の便器８２と洋式の便器８４がそれぞれ複数備えられている男性用のトイレ８０にトイレ管理装置が適用される場合について説明する。
【００１０】
本考案の実施形態のトイレ管理装置は、図１〜図４に示すように、音センサ１０と、受信装置２０と、撮影装置３０と、記憶再生装置４０と、表示装置５０と、を備えている。
【００１１】
音センサ１０は、トイレ８０に設置されている。音センサ１０は、トイレ８０のうち、壁裏や天井裏等の人目のつかない場所に設置されることが好ましい。
音センサ１０は、図４に示すように、センサ部１２と、制御部１４と、通信部１６と、を備えている。
センサ部１２は、音を検出する部分である。センサ部１２としては、例えばマイクロフォン等を用いることができる。
制御部１４は、センサ部１２で検出された音と閾値とを比較し、検出された音が閾値より大きい場合には、通信部１６から受信装置２０の通信部２６に信号を送信する。制御部１４としては、例えば、ワンチップマイクロコンピュータ等のマイクロプロセッサを用いることができる。閾値は、例えば洋式の便器８４の蓋や便座が破壊された際に生じる音の大きさと同等か、それより低い値（ｄB等）とする。
通信部１６は、無線または有線により受信装置２０と通信を行うためのインターフェイスであり、受信装置２０に信号を送信する。
【００１２】
受信装置２０は、どこに設置されてもよく、例えば管理室９０等に設置される。受信装置２０は、図４に示すように、通信部２６と、通知部２２と、制御部２４と、を備えている。
通信部２６は、音センサ１０の通信部１６から送信された信号を受信するためのインターフェイスであり、無線または有線により音センサ１０の通信部１６と接続されている。
通知部２２は、受信装置２０が音センサ１０から信号を受信したことを人に通知するためのものであり、本実施形態では、スピーカが用いられている。なお、通知部２２は、受信装置２０が音センサ１０から信号を受信したことを人に通知するものであればどのようなものであってもよく、例えばランプであってもよいし、文字等を表示する表示パネル等であってもよい。
制御部２４は、受信装置２０が音センサ１０からの信号を受信すると、通知部２２を作動させるものであり、本実施形態では、スピーカから警告音または警告音声（以下、警告音等とする）を発生させる。制御部２４としては、例えば、ワンチップマイクロコンピュータ等のマイクロプロセッサを用いることができる。
なお、本実施形態では、通知部２２は、受信装置２０に備えられているが、受信装置２０に備えられる必要はなく、別途備えられてもよい。
【００１３】
撮影装置３０は、被写体を撮影する装置である。撮影装置３０としては、例えばＣＣＤ素子またはＣ−ＭＯＳ素子等を備えるカメラを用いることができる。撮影装置３０は、図１〜図３に示すように、トイレ８０の外側からトイレ８０の出入口８６を撮影するため、トイレ８０の外側の天井に設置され、レンズがトイレ８０の出入口８６に向けられている。撮影装置３０は、所定の時間間隔で画像データを取得する。撮影装置３０で撮影された画像データには、その画像が撮影された時刻データも含まれる。撮影装置３０と記憶再生装置４０とは、図４に示すように、無線または有線で接続されており、撮影装置３０で取得された画像データは、記憶再生装置４０に送信され、記憶される。また、記憶再生装置４０は、図４に示すように、表示装置５０と無線または有線で接続されており、記憶した画像データを表示装置５０に再生（表示）することができる。記憶再生装置４０としては、例えばハードディスクを有するビデオレコーダやパーソナルコンピュータ等を用いることができる。記憶再生装置４０は、画像データが撮影された時刻を確認するため、記憶再生装置４０の表示部または表示装置５０に画像データの撮影時刻を表示させる時刻表示部を備えるものが好ましい。表示装置５０としては、例えば液晶ディスプレイ等を用いることができる。記憶再生装置４０および表示装置５０は、どこに設置されてもよく、例えば管理室９０等に設置される。
【００１４】
次に、本考案の実施形態のトイレ管理装置の使用方法について説明する。
撮影装置３０および記憶再生装置４０を起動し、トイレ８０の出入口８６の映像を撮影し、撮影した画像データを記憶再生装置４０に記憶させる。
トイレ８０内において洋式の便器８４の蓋や便座等のトイレ８０内の器物が破壊された場合には、その破壊音は閾値より大きくなるので、音センサ１０から受信装置２０に信号が送られる。信号を受信した受信装置２０は、通知部２２から警告音等を発する。警告音等を聞きつけた管理者は、時計を見て警告音等が発せられた時刻を把握するとともに、トイレ８０に駆けつけて、トイレ８０内の器物の破壊を確認する。そして、トイレ８０内の器物が破壊されている場合において可能であれば、器物の破壊者またはその可能性がある者を特定する。さらに、上記管理者または別の管理者が、記憶再生装置４０に記憶された上記時刻付近の画像データを表示装置５０に表示し、その表示おいて上記時刻付近にトイレ８０の出入口８６から出てくる者を器物の破壊者またはその可能性がある者として特定する。
【００１５】
本考案のトイレ管理装置によると、トイレ８０内の器物が破壊されたことを直ちに把握することができるとともに、その破壊者または破壊した可能性のある者を特定することができる。
【００１６】
本考案の実施形態のトイレ管理装置は、トイレ８０内のうち、小便用の便器８２の上方や、洋式の便器８４（大便用の便器）の前方の壁に、トイレ利用者に対する警告文６２を有する警告部６０を備えるものであってもよい。警告部６０は、図５に示すように、紙等に警告文６２を記載またはプリントしたものである。警告文６２の内容は、例えば、トイレ８０内に音センサ１０が設置してあり、トイレ８０の器物を破壊した場合には、警報機が作動し、トイレ８０の出入口８６で防犯カメラがトイレ８０の出入口８６を撮影するというものである。
【００１７】
本考案の実施形態のトイレ管理装置は、トイレ８０内に警告部６０を備えることにより、トイレ８０内の器物の破壊が抑止され、トイレ８０の補修費用を抑えることができる。
【００１８】
本考案のトイレ管理装置は、遊技場のトイレに限らず、様々なトイレにおいて利用することができる。
【符号の説明】
【００１９】
１０    音センサ
１２    センサ部
１４    制御部
１６    通信部
２０    受信装置
２２    通知部
２４    制御部
２６    通信部
３０    撮影装置
４０    記憶再生装置
５０    表示装置
６０    警告部
６２    警告文
８０    トイレ
８２    小便用の便器
８４    洋式の便器
８６    出入口
９０    管理室
【図１】
0003196257.tif 000003
【図２】
0003196257.tif 000004
【図３】
0003196257.tif 000005
【図４】
0003196257.tif 000006
【図５】
0003196257.tif 000007